(57)【要約】  本発明は、マルチメディア放送/マルチキャストサービス(ＭＢＭＳ)システムにおける端末のＭＢＭＳサービスに対するセッション無関心指示情報を伝送する方法であって、サービング無線網制御器(ＳＲＮＣ)が、端末によって加入されたＭＢＭＳサービスに対する現在セッションを端末が受信することを希望するか否かを判定する段階と、ＳＲＮＣが、その判定結果に従い、端末の前記ＭＢＭＳサービスに対するセッション無関心指示情報をドリフト無線網制御器(ＤＲＮＣ)に伝送する段階と、ＤＲＮＣが、端末をＭＢＭＳサービスに対するＭＢＭＳコンテキストに含め、端末のセッション無関心指示情報に従い、端末をＭＢＭＳサービスのためのカウンティングから除外するか否かを判定する段階とを有することを特徴とする。
2008527904.tif 000002
【特許請求の範囲】
【請求項１】
マルチメディア放送/マルチキャストサービス(ＭＢＭＳ)システムにおける端末のＭＢＭＳサービスに対するセッション無関心指示情報を伝送する方法であって、
サービング無線網制御器(ＳＲＮＣ)が、前記端末によって加入されたＭＢＭＳサービスに対する現在セッションを前記端末が受信することを希望するか否かを判定する段階と、
前記ＳＲＮＣが、前記判定結果に従い、前記端末の前記ＭＢＭＳサービスに対するセッション無関心指示情報をドリフト無線網制御器(ＤＲＮＣ)に伝送する段階と、
前記ＤＲＮＣが、前記端末を前記ＭＢＭＳサービスに対するＭＢＭＳコンテキストに含め、前記端末の前記セッション無関心指示情報に従い、前記端末を前記ＭＢＭＳサービスのためのカウンティングから除外するか否かを判定する段階と、
を有することを特徴とするＭＢＭＳサービス方法。
【請求項２】
前記端末によって加入されたＭＢＭＳサービスに対する現在セッションを受信することを希望するか否かを判定する前に、前記ＳＲＮＣが、前記端末から前記ＤＲＮＣを通じてセルアップデート要求を受信する段階をさらに有することを特徴とする請求項１記載のＭＢＭＳサービス方法。
【請求項３】
前記端末によって加入されたＭＢＭＳサービスに対する現在セッションを受信することを希望するか否かを判定する前に、前記ＳＲＮＣが、前記端末から前記ＭＢＭＳサービスに対する前記セッション無関心指示情報を受信する段階をさらに有することを特徴とする請求項１記載のＭＢＭＳサービス方法。
【請求項４】
前記セッション無関心指示情報は、
前記端末が現在セッションを受信することを望まないことを示す無関心インジケータと前記ＭＢＭＳサービスのサービスＩＤを含むことを特徴とする請求項１記載のＭＢＭＳサービス方法。
【請求項５】
前記伝送する段階は、
前記端末が前記ＭＢＭＳサービスに対する現在セッションを受信している場合に、前記無関心インジケータを未設定とする段階と、
前記ＭＢＭＳサービスに対する現在セッションを受信していない場合に、前記無関心インジケータを設定する段階と、
前記無関心インジケータを前記ＭＢＭＳサービスのサービスＩＤと共に前記ＤＲＮＣに伝送する段階と、
を有することを特徴とする請求項４記載のＭＢＭＳサービス方法。
【請求項６】
前記判定する段階は、
前記無関心インジケータが設定された場合に、前記端末を前記ＭＢＭＳサービスに対するカウンティングから除外する段階と、
前記無関心インジケータが未設定とされた場合に、前記端末を前記ＭＢＭＳサービスに対するカウンティングに含む段階と、
を有することを特徴とする請求項５記載のＭＢＭＳサービス方法。
【請求項７】
前記端末が移動する前に位置したセルと前記端末が移動した後に位置したセルとの間のセッション伝送タイミングが実質的に一致する場合に、前記無関心インジケータとして１ビット識別子が使用されることを特徴とする請求項４記載のＭＢＭＳサービス方法。
【請求項８】
端末にマルチメディア放送/マルチキャストサービス(ＭＢＭＳ)を提供するＭＢＭＳシステムであって、
前記端末によって加入された前記ＭＢＭＳサービスに対する現在セッションを受信することを希望するか否かをを示す前記端末のセッション無関心指示情報を生成するサービング無線網制御器(ＳＲＮＣ)と、
前記ＳＲＮＣから前記端末のセッション無関心指示情報を受信し、前記セッション無関心指示情報に従い、前記端末を前記ＭＢＭＳサービスのためのカウンティングから除外するか否かを判定するドリフト無線網制御器(ＤＲＮＣ)と、
を含むことを特徴とするＭＢＭＳシステム。
【請求項９】
前記ＳＲＮＣは、前記端末から前記ＤＲＮＣを通じてセルアップデート要求を受信して前記端末のセッション無関心指示情報を生成するように構成されることを特徴とする請求項８記載のＭＢＭＳシステム。
【請求項１０】
前記ＤＲＮＣは、前記端末から受信された前記セッション無関心指示情報に基づいて、前記端末が現在セッションを受信するか否かを判定するように構成されることを特徴とする請求項１０記載のＭＢＭＳシステム。
【請求項１１】
前記セッション無関心指示情報は、前記端末が現在セッションを受信することを望まないことを示す無関心インジケータと、前記ＭＢＭＳサービスのサービスＩＤを含むことを特徴とする請求項８記載のＭＢＭＳシステム。
【請求項１２】
前記ＳＲＮＣは、
前記端末が前記現在セッションを受信している場合に前記無関心インジケータを未設定とし、前記端末が前記現在セッションを受信していない場合に前記無関心インジケータの設定を遂行し、前記無関心インジケータを前記ＭＢＭＳサービスのサービスＩＤと共に前記ＤＲＮＣに伝送することを特徴とする請求項１１記載のＭＢＭＳシステム。
【請求項１３】
前記ＤＲＮＣは、
前記無関心インジケータが設定された場合に、前記端末を前記ＭＢＭＳサービスに対するカウンティングから除外し、前記無関心インジケータが未設定とされた場合に、前記端末を前記ＭＢＭＳサービスに対するカウンティングに含むことを特徴とする請求項１２記載のＭＢＭＳシステム。
【発明の詳細な説明】
【技術分野】
【０００１】
本発明はマルチメディア放送/マルチキャストサービス(Multimedia  Broadcast/Multicast  Service：以下、“ＭＢＭＳ”とする)システムに関するもので、特にセッションが進行される間にＵＥ(User Equipment)が新たなドリフト無線網制御器(Drift Radio Network Controller:ＤＲＮＣ)に移動することが検出される場合に、サービング無線網制御器(Serving Radio Network Controller:ＳＲＮＣ)が前記ＵＥのセッションが受信された否かをＤＲＮＣに通知する方法に関するものである。
【背景技術】
【０００２】
最近では、通信技術の発達により、広帯域符号分割多重接続(Wideband  Code  Division  Multiple  Access：以下、“ＷＣＤＭＡ”とする)方式を使用する移動通信システムで提供されるサービスは、従来の音声サービスだけでなく、大容量のデータ伝送に使用されるパケットサービスとマルチメディアサービスを支援することができるマルチメディア放送/通信に発展している。マルチメディア放送/通信を支援するために、一つ又は複数のマルチメディアデータソースから、複数のＵＥにサービスを提供するＭＢＭＳサービスが論議されている。
【０００３】
ここで、“ＭＢＭＳサービス”とは、無線ネットワークを通じて同一のマルチメディアデータを複数の受信者に伝送するサービスを称する。このＭＢＭＳサービスは、複数の受信者が一つの無線チャンネルを共有するように許容することによって無線伝送リソースを節約することができる。このＭＢＭＳサービスは、リアルタイム映像及び音声、静止画像、文字のようなマルチメディア伝送を支援し、マルチメディア伝送により音声データと映像データを同時に提供することができる。このために、このＭＢＭＳサービスでは、大量の伝送リソースが要求される。
【０００４】
図１は、一般的な移動通信ネットワークにおいてＭＢＭＳサービスを提供することに参加するノードを概略的に示す。ここでは、例えばＧＳＭ(Global  System  for  Mobile  Communications）とＧＰＲＳ(General  Packet  Radio  Services)に基づいて、第３世代非同期移動通信方式の標準である３ＧＰＰ(3rd  Generation  Project  Partnership)システムにＭＢＭＳサービスが適用されると仮定する。
【０００５】
図１を参照すると、ユーザー端末機(ＵＥ)１６１，１６２，１６３，１７１，１７２は、ＭＢＭＳサービスが受信できる端末装置或いは加入者を意味し、第１のセル１６０と第２のセル１７０は加入者にＭＢＭＳ関連データを無線伝送する基地局、すなわちＮｏｄｅ  Ｂであり、各々は、該当Ｎｏｄｅ  Ｂによって制御される物理的又は論理的なサービス領域を示す。無線網制御器(Radio  Network  Controller：以下、“ＲＮＣ”とする)１４０は、複数のセル１６０，１７０を制御してマルチメディアデータを特定のセルに選択的に伝送し、ＭＢＭＳサービスを提供するために設定された無線チャンネルを制御する。ＲＮＣ１４０とＵＥ１６１,１６２，１６３，１７１，１７２との接続は、無線リソース制御(Radio  Resource  Control：以下、“ＲＲＣ”とする)インターフェースによってなされる。
【０００６】
ＲＮＣ１４０は、ＳＧＳＮ(Serving GPRS Support Node)１３０によって、インターネットのようなパケット交換又はパケットサービスに接続される。ＲＮＣ１４０とＰＳ(Packet Switched)ネットワークとの通信は、ＰＳシグナリング(PS Signaling)によってなされる。特に、ＲＮＣ１４０とＳＧＳＮ１３０との接続はＩｕ-ＰＳインターフェースと呼ばれる。ＳＧＳＮ１３０は、各加入者のＭＢＭＳ関連サービスを制御する。ＳＧＳＮ１３０によって制御される代表的な機能の例としては、各加入者のサービス課金関連データを管理する機能と、特定のＲＮＣ１４０に選択的に伝送する機能がある。
【０００７】
中継ネットワーク(transit  network)１２０は、放送マルチキャストサービスセンター(Broadcast  Multicast  Service  Center：以下、“ＢＭ-ＳＣ”とする)１１０とＳＧＳＮ１３０との通信経路を提供し、図示しないＧＧＳＮ(Gateway  GPRS  Support  Node)を通じて外部ネットワークに接続されることができる。ＭＢＭＳデータのソースであるＢＭ-ＳＣ１１０は、ＭＢＭＳデータをスケジューリングする役割を果たす。
【０００８】
ＲＮＣ１４０は、移動交換局(Mobile  Switching  Center：以下、“ＭＳＣ”とする)１５０によって回線交換(Circuit  Switched：ＣＳ)ネットワークに接続される。ＣＳネットワークは、接続基盤である音声中心の既存通信ネットワークを意味する。ＲＮＣ１４０とＭＳＣ１５０との通信は、ＣＳシグナリングによってなされる。特に、ＲＮＣ１４０とＭＳＣ１５０との接続は、Ｉｕ-ＣＳインターフェースと称する。
【０００９】
ＢＭ-ＳＣ１１０から生成されたＭＢＭＳデータストリームは、中継ネットワーク１２０、ＳＧＳＮ１３０、ＲＮＣ１４０、及びＮｏｄｅ  Ｂ又はセル１６０，１７０を通じてＵＥ１６１，１６２，１６３，１７１，１７２に至るようになる。
【００１０】
図１に示していないが、一つのＭＢＭＳサービスに対して複数のＳＧＳＮが提供され、各ＳＧＳＮに対して複数のＲＮＣが提供されることができる。各ＳＧＳＮは複数のＲＮＣに、各ＲＮＣは複数のセルに、それぞれ選択的にデータ伝送を遂行する。このために、ＳＧＳＮとＲＮＣにデータストリームを伝送すべき下位ノードのリスト(例えば、それぞれ、ＲＮＣのリスト、セルのリスト)を貯蔵し、このリストに含まれたノードのみに選択的にＭＢＭＳデータ伝送を遂行する。
【００１１】
図２は、特定のＵＥに対してＳＲＮＣとＤＲＮＣが異なる状況を示す。すなわち、図２は、移動通信システムにおいて、第１のＲＮＣ３０２がＵＥ３１１〜３１４の通信を管理するが、物理的に位置したＵＥ３１１〜３１４は、第２のＲＮＣ３０３によって実際に管理される無線リソースを使用する状況を示す。
【００１２】
図２を参照すると、コアネットワーク(Core Network：ＣＮ)ノード３０１は、ＢＭ-ＳＣ、中継ネットワーク、ＭＳＣ、及びＳＧＳＮのようなノードを簡略的に表示したものである。第１及び第２のＲＮＣ３０２，３０３は、ともにＣＮノード３０１に接続されている。ＣＮノード３０１とこれらＲＮＣ３０２，３０３とを接続するための有線経路３３１はＩｕインターフェースと呼ばれ、第１及び第２のＲＮＣ３０２，３０３を接続するための有線経路３３２はＩｕｒインターフェースと呼ばれる。ここで、一つ又はそれ以上のセルを直接管理する役割を遂行し、第２のＲＮＣ３０３とＵＥ３１１〜３１４との間に位置したＮｏｄｅ  Ｂは省略する。第２のＲＮＣ３０３は、ＵＥ３１１〜３１４が位置した一つ又はそれ以上のセルを直接管理するＤＲＮＣ(Drift  RNC)と称し、第１のＲＮＣ３０２は、ＵＥ３１１〜３１４の通信を制御するＳＲＮＣ(Serving RNC)と称する。
【００１３】
図３は、ＵＥとネットワークとの間のＭＢＭＳサービス手順を示す。図３において、ＢＭ-ＳＣ２０６は、ＲＮＣ２０４を通じてＵＥ２０２と通信する。また、ＲＮＣ２０４は、ＳＧＳＮ(図示せず）を通じてＢＭ-ＳＣ２０６と通信する。図３に一つのＲＮＣ２０４と一つのＵＥ２０２を示したが、本発明の実施形態は、同一の手順がＭＢＭＳサービスの受信を希望する複数のＵＥと複数のＲＮＣに適用でき、これに限定されるものではない。
【００１４】
図３を参照すると、サービス登録(subscription)段階２１０で、ＭＢＭＳサービスの受信を希望するユーザー、すなわちＵＥ２０２が、サービス提供者のＢＭ-ＳＣ２０６にそれ自身を登録する。この段階で、ＢＭ-ＳＣ２０６は、ＵＥ２０２と課金及びサービス受信に関連した基本情報を交換する。
【００１５】
サービス公告(announcement)段階２２０で、ＵＥは、ＭＢＭＳサービスに関する基本的な情報を把握する。例えば、ＵＥは、ＢＭ-ＳＣ２０６で提供可能なＭＢＭＳサービスを区分するためのＭＢＭＳ識別子(ＩＤ)とサービス開始時間及び持続時間を認知する。このＭＢＭＳ  ＩＤは、マルチキャストアドレスとアクセスポイント名(Access  Point  Name：以下、“ＡＰＮ”とする)を含む。この広告段階２２０で、ＢＭ-ＳＣ２０６とＵＥ２０２との間に位置したノード、すなわちＲＮＣ２０４、ＳＧＳＮ、及び中継ネットワークはＵＥ２０２と、このＵＥ２０２に接続されたノードを認知する。例えば、ＳＧＳＮは、ＭＢＭＳサービスの受信を希望するＵＥのリストと、ＵＥが位置したＲＮＣのリストを把握し、そのリストに基づいてＵＥが位置したＲＮＣのみにＭＢＭＳデータを伝送する。
【００１６】
このＭＢＭＳサービスの基本情報を習得した後に、ＵＥ２０２は、希望するＭＢＭＳサービスデータを受信するためにサービス参加(joining)段階２３０を遂行する。このＵＥ２０２は、公告段階２２０を通じて得たＭＢＭＳ  ＩＤの中で希望する少なくとも一つのＭＢＭＳ  ＩＤをＢＭ-ＳＣ２０６に伝送する。
【００１７】
サービス通知(notification)段階２４０は、ＵＥ２０２によって要求されたＭＢＭＳサービスがすぐ始まることを知らせるために、ＵＥ２０２を呼び出す。すなわち、通知段階２４０は、ＭＢＭＳサービスに参加する複数のＵＥに対するグループ呼び出し(group  paging）を遂行する。
【００１８】
無線リソース割り当て(radio  resource allocation)段階２５０は、ＭＢＭＳサービスを提供するためにＵＥ２０２とＲＮＣ２０４との間に無線リソースを割り当て、該当情報を関連ノードに提供する。ＲＮＣ２０４は、各セルに属するＵＥの数に関する情報と無線リソース管理(Raio Resource Management:ＲＲＭ)機能に基づいて、一対多(Point-to-Multipoint：ＰＴＭ)及び一対一(Point-to-Point：ＰＴＰ)モードの内の一つを選択することができる。
【００１９】
データ伝送(data  transfer)段階２６０で、実際のＭＢＭＳデータがＲＮＣ２０４を通じてＵＥ２０２に伝送される。このＭＢＭＳサービスに関する情報、例えば暗号キー(ciphering  key)を変更する必要がある場合に、ＲＮＣ２０４は、新たな暗号キーを、ＭＢＭＳサービスを受信するすべてのＵＥに提供する。
【００２０】
ＭＢＭＳサービスが終了する場合に、無線リソース解除(radio  resource  release)段階２７０で、割り当てられた無線リソースが解除され、ＭＢＭＳ無線リソースが解除されたことをＵＥ２０２に通知する。図示していないが、段階２５０において、ＭＢＭＳサービスを受信する途中でＵＥ２０２が自発的にＭＢＭＳサービスの受信中断を要求し、ＭＢＭＳサービスの遮断を要求することもある。
【００２１】
ＲＮＣは、各ＭＢＭＳサービスごとに、ＭＢＭＳサービスの受信を希望するＵＥに関する情報が貯蔵されたＭＢＭＳコンテキスト(context)を管理する。一つのＭＢＭＳサービスは数個のセッションからなる。このＭＢＭＳコンテキストは、セッションの開始及び終了に関係なく、ＭＢＭＳサービスが終了するまで、或いはＲＮＣにＭＢＭＳサービスを受信するＵＥがなくなるまで管理され、新たなセッションが始まるとき、ＭＢＭＳコンテキストに含まれているＵＥの数を考慮して、セッションをＰＴＰ方式で伝送するか、或いはＰＴＭ方式で伝送するかを決定する。このＵＥの数をカウントする過程をカウンティング段階とする。
【００２２】
図４は、第１のセル４０１と第２のセル４０２で同一のＭＢＭＳサービスが伝送される状況を示す。図示のように、ＭＢＭＳサービスに対して同一のセッションが反復して現れることができ、これを“反復セッション(repeated  session)”と称する。このような反復セッション状況では、ＵＥが同一のセッションを既に受信した場合に、ＲＮＣは、ＵＥをカウンティング段階から除外することによって、無線リソースの効率性をより増加することができる。
【００２３】
上記のような反復伝送状況で、ＵＥが既にセッションを受信したことをＳＲＮＣは知っているが、参照符号４５０で示すように、ＵＥがＤＲＮＣによって管理される他のセルに移動した場合に、ＤＲＮＣはこのＵＥをカウンティング過程に含む。この場合に、ＵＥが実際にセッションを受信しないため、ＰＴＰ方式が望ましいＭＢＭＳサービスが、ＰＴＭ方式に設定される可能性があり、それによって無線リソースの浪費をもたらすという問題点があった。
【００２４】
したがって、ＵＥがセッションの間に新たなＤＲＮＣに移動することを検出し、ＵＥがセッションを受信したか否かをＤＲＮＣに知らせるための方法及び装置が要求される。
【発明の開示】
【発明が解決しようとする課題】
【００２５】
したがって、上述のような問題点を解決するために、本発明の目的は、ＵＥがＤＲＮＣによって管理されるターゲットセルに移動する場合に、ＳＲＮＣは、ＵＥが実際にセッションを受信したか否かを判定し、その結果情報をＤＲＮＣに提供する方法及び装置を提供することにある。
【００２６】
また、本発明の目的は、ＳＲＮＣからＵＥが実際にセッションを受信したか否かを示す情報を受信したＤＲＮＣが、カウンティング過程からＵＥを除外することによって無線リソースをより効率的に使用することができる方法及び装置を提供することにある。
【課題を解決するための手段】
【００２７】
上記のような目的を達成するために、本発明は、マルチメディア放送/マルチキャストサービス(ＭＢＭＳ)システムにおける端末のＭＢＭＳサービスに対するセッション無関心指示情報を伝送する方法であって、サービング無線網制御器(ＳＲＮＣ)が、前記端末によって加入されたＭＢＭＳサービスに対する現在セッションを前記端末が受信することを希望するか否かを判定する段階と、前記ＳＲＮＣが、前記判定結果に従い、前記端末の前記ＭＢＭＳサービスに対するセッション無関心指示情報をドリフト無線網制御器(ＤＲＮＣ)に伝送する段階と、前記ＤＲＮＣが、前記端末を前記ＭＢＭＳサービスに対するＭＢＭＳコンテキストに含め、前記端末の前記セッション無関心指示情報に従い、前記端末を前記ＭＢＭＳサービスのためのカウンティングから除外するか否かを判定する段階とを有することを特徴とする。
【００２８】
また、本発明は、端末にマルチメディア放送/マルチキャストサービス(ＭＢＭＳ)を提供するＭＢＭＳシステムであって、前記端末によって加入された前記ＭＢＭＳサービスに対する現在セッションを受信することを希望するか否かをを示す前記端末のセッション無関心指示情報を生成するサービング無線網制御器(ＳＲＮＣ)と、前記ＳＲＮＣから前記端末のセッション無関心指示情報を受信し、前記セッション無関心指示情報に従い、前記端末を前記ＭＢＭＳサービスのためのカウンティングから除外するか否かを判定するドリフト無線網制御器(ＤＲＮＣ)とを含むことを特徴とする。
【発明の効果】
【００２９】
本発明は、ＵＥが新たなＲＮＣによって管理されるセルに移動する場合に、ＳＲＮＣは、ＵＥがセッションに関心があるか否かを判定してＤＲＮＣにその情報を提供する。ＵＥがセッションに関心がないと判定された場合に、ＤＲＮＣは、ＵＥをカウンティングに含めないことで無線リソースの効率性をより増加することができるという効果がある。すなわち、本発明の実施形態は、ＵＥが、その移動性に関係なく、加入したサービスに対して現在のサービスのセッションを受信するか否かをＤＲＮＣに通知し、それによって、無線リソースの効率性をより増加することができるという効果がある。
【発明を実施するための最良の形態】
【００３０】
以下、本発明の望ましい実施形態を添付の図面を参照して詳細に説明する。
【００３１】
下記において、本発明に関連した公知の機能又は構成に関する具体的な説明が本発明の要旨を不明にすると判断された場合に、その詳細な説明を省略する
【００３２】
本発明の実施形態の要旨は、特定のＭＢＭＳサービスに対するＵＥの‘セッション関心情報’をＳＲＮＣからＤＲＮＣに提供するものである。ここで、“ＵＥが特定のＭＢＭＳサービスに関心がない”という表現は、ＵＥが反復伝送状況で既に同一のセッションを受信した場合を含む。また、“ＵＥが特定のＭＢＭＳサービスに関心がある”という表現は、ＵＥが以前にセッションを受信したことのない場合を含む。
【００３３】
図５は、本発明の望ましい実施形態により、ＣＥＬＬ_ＤＣＨ(Cell_Dedicated Channel)以外の状態にある、すなわちＤＣＨを有しないＵＥが他のセルに移動する場合の信号の流れ図を示す。
【００３４】
図５を参照すれば、段階５１０で、隣接セルの高い受信感度が検出されると、ＵＥ５０１は、隣接セルを制御するＤＲＮＣ５０２にセルアップデート(cell  update)メッセージを伝送する。段階５２０で、ＤＲＮＣ５０２は、アップリンクシグナリング伝送のメッセージを通じてセルアップデートメッセージをＳＲＮＣ５０３に伝送する。
【００３５】
セルアップデートメッセージを受信する場合に、ＳＲＮＣ５０３は、段階５３０で、ＵＥ５０１によって加入されたＭＢＭＳサービスが現在進行中であるか否かを判定し、このＭＢＭＳサービスが現在進行中であると、ＵＥ５０１がＭＢＭＳサービスの現在セッションを受信するか否かを判定する。
【００３６】
ＵＥ５０１が現在セッションを受信すると判定された場合に、ＳＲＮＣ５０３は、ＵＥ５０１が現在セッションを受信することを示す無関心インジケータ(non-interest  indication)を未設定とし、この未設定とされた無関心インジケータを、ＭＢＭＳサービスのサービスＩＤと共にダウンリンク信号伝送(Downlink  signalin  g  transfer：ＤＳＴ)メッセージに含む。ここで、無関心インジケータを未設定とすることは、無関心インジケータをダウンリンク信号伝送メッセージに含まない方法、或いは無関心インジケータをＮ(No)に設定する方法に当てはまる。
【００３７】
ＵＥ５０１が、上記サービスに加入しても、現在セッションを受信しないと、ＳＲＮＣ５０３は、無関心インジケータを設定し、これをサービスＩＤと共にダウンリンク信号伝送メッセージに含む。ここで、無関心インジケータを設定することは、無関心インジケータをＹ(Yes）に設定する方法に当てはまる。
【００３８】
図５で、ＵＥ５０１がＭＢＭＳサービスＳ１に対して関心があり、ＭＢＭＳサービスＳ２に対しては関心がない場合に、段階５３０で、ＳＲＮＣ５０３は、Ｓ１に対しては無関心インジケータを未設定とし、Ｓ２に対しては無関心インジケータを設定する。段階５４０で、ＳＲＮＣ５０３は、ダウンリンク信号伝送メッセージをＤＲＮＣ５０２に伝送する。
【００３９】
段階５５０で、ＤＲＮＣ５０２は、ＭＢＭＳサービス別に無関心インジケータがダウンリンク信号伝送メッセージに設定されたか否かを判定する。その結果、無関心インジケータが設定されていた場合に、ＤＲＮＣ５０２は、ＭＢＭＳコンテキストにＵＥ５０１を含み、カウンティングからＵＥ５０１を除外する。しかしながら、無関心インジケータが設定されずに、サービスＩＤのみがダウンリンク信号伝送メッセージに含まれたと判定されると、ＤＲＮＣ５０２は、ＭＢＭＳコンテキストにＵＥ５０１を含むと同時に、ＭＢＭＳサービスの伝送モードを決定するためのカウンティングにＵＥ５０１を含む。参考として、ＵＥをＭＢＭＳコンテキストに含む段階を“加入(attach)”とする。
【００４０】
段階５６０で、ＤＲＮＣ５０２は、ＵＥ５０１にセルアップデート確認メッセージを伝送する。また、ＤＲＮＣ５０２は、アップリンク信号伝送メッセージの伝送後に、セルアップデート確認メッセージを伝送することもできる。
【００４１】
図６は、本発明の望ましい実施形態により、ＣＥＬＬ_ＤＣＨ状態にある、すなわちＤＣＨを有するＵＥを、ＤＲＮＣによって管理されるセルに移動させる場合の信号の流れ図を示す。
【００４２】
図６を参照すれば、段階６１０で、ＳＲＮＣ６０３は、ＵＥ６０１を、新たなＤＲＮＣ６０２によって管理されるセルに移動させるか否かを判定し、段階６２０で、ＵＥ６０１がＭＢＭＳサービスに対するセッションを実際受信するか否かを判定する。
【００４３】
ＵＥ６０１が現在セッションを実際に受信すると判定されると、段階６２０で、ＳＲＮＣ６０３は、ＵＥ６０１が現在セッションを受信することを示す無関心インジケータを未設定とし、未設定とされた無関心インジケータとＭＢＭＳサービスのサービスＩＤを無線リンクセットアップメッセージに含める。しかしながら、ＵＥ６０１がサービスには加入したが、現在セッションを受信しない場合に、ＳＲＮＣ６０３は、無関心インジケータを設定し、これをサービスＩＤと共に無線リンクセットアップメッセージに含む。
【００４４】
段階６３０で、ＳＲＮＣ６０３は、無線リンクセットアップメッセージをＤＲＮＣ６０２に伝送する。
【００４５】
段階６４０で、ＤＲＮＣ６０２は、無関心インジケータが、無線リンクセットアップメッセージに、ＭＢＭＳサービス別に設定されたか否かを判定する。無関心インジケータが設定されていた場合に、ＤＲＮＣ６０２は、ＭＢＭＳコンテキストにＵＥ６０１を含み、このＵＥ６０１をカウンティングから除外する。しかしながら、無関心インジケータが設定されずに、サービスＩＤのみが無線リンクセットアップメッセージに含まれると判定されていた場合に、ＤＲＮＣ６０２は、ＵＥ６０１をＭＢＭＳコンテキストに含むと同時に、ＵＥ６０１をＭＢＭＳサービスのためのカウンティングにも含む。
【００４６】
段階６５０で、ＳＲＮＣ６０３は、段階６１０の結果として、アクティブセットアップデートメッセージをＵＥ６０１に伝送することによって、ＵＥ６０１がハンドオーバーを遂行するようにする。
【００４７】
図５及び図６で、ＳＲＮＣからＤＲＮＣに伝送されたダウンリンク信号伝送(ＤＳＴ)メッセージ又は無線リンクセットアップメッセージを含み、ＵＥが現在セッションを受信するか否かを示す無関心インジケータは、＜表１＞及び＜表２＞に示すフォーマットを有する。
【００４８】
＜表１＞は、本発明の第１の実施形態により無関心インジケータとして使用される１ビットインジケータのフォーマットを示す。
【００４９】
例えば、無関心インジケータが‘１’に設定されると、ＵＥがＭＢＭＳサービスに加入したが、現在セッションを受信しないことを示す。しかしながら、無関心インジケータが‘０’に設定されると、ＵＥは現在セッションを受信することを示す。１ビットのインジケータは、例えばＵＥが初期に位置したセルと移動しようとするセルとのセッション伝送タイミングが一致する状況を仮定する。
【００５０】
【表１】
2008527904.tif 000003
【００５１】
＜表２＞は、本発明の第２の実施形態により、ＵＥのセッション設定指示情報に現在セッションのセッションＩＤを含み、ＵＥがセッションＩＤに該当するセッションに関心があるか否かを示す無関心インジケータをＤＲＮＣに提供する方法を示す。
【００５２】
この方法は、セル間にセッションの伝送タイミングが一致しない場合にも使用することができる。セッションＩＤの包含表示を無関心インジケータとして使用することによって、ＤＲＮＣが該当セッションに対するＵＥの受信可否を判定することができる。
【００５３】
【表２】
2008527904.tif 000004
【００５４】
図７は、図５の信号の流れ図によるＳＲＮＣの動作を示すフローチャートである。
【００５５】
図７を参照すると、ステップＳ７００で、ＳＲＮＣは、ＵＳＴ(Uplink  Signaling  Transfer)システムからセルアップデートメッセージを受信し、ステップＳ７１０でセルアップデートメッセージがＲＮＣ間のハンドオーバーを要求するか否かを判定する。
【００５６】
新たなＲＮＣにハンドオーバーが要求されると判定された場合に、ＳＲＮＣは、ステップＳ７２０で、ＵＥによって加入されたＭＢＭＳサービスの数ｎを確認してインデックスｉを‘０’に設定する。すると、ステップＳ７３０で、ＳＲＮＣは、ｉがｎより小さいか否かを判定する。その結果、ｉがｎ以上であると、ＳＲＮＣはステップＳ７８０に進行する。一方、ｉがｎより小さいと、ＳＲＮＣは、ＵＥによって加入されたすべてのＭＢＭＳサービスに対してステップＳ７４０〜Ｓ７７０を反復して遂行する。
【００５７】
すなわち、ステップＳ７４０で、ＳＲＮＣは、ＵＥがｉ番目のＭＢＭＳサービスの現在セッションに関心があるか否かを確認する。ＵＥが現在セッションに関心があると判定された場合、すなわちＵＥが現在セッションを受信する場合に、ＳＲＮＣは、ステップＳ７５５に進行して、ｉ番目のＭＢＭＳサービスに対して無関心インジケータを未設定とする。しかしながら、ＵＥがｉ番目のＭＢＭＳサービスに加入したが、現在セッションに関心がない場合、すなわちＵＥが現在セッションを受信しない場合に、ＳＲＮＣは、ステップＳ７６０で、ｉ番目のＭＢＭＳサービスに対する無関心インジケータを設定し、ステップＳ７７０で、サービスリストにｉ番目のＭＢＭＳサービスのサービスＩＤと無関心インジケータを含み、ｉを１だけ増加させた後に、ステップＳ７３０に戻る。
【００５８】
ＵＥによって加入されたすべてのＭＢＭＳサービスに対してステップＳ７３０〜Ｓ７７０を反復した後に、ＳＲＮＣは、ステップＳ７８０で、＜表１＞又は＜表２＞に示す形態のサービスリストをＤＳＴメッセージに含め、ステップＳ７９０で、ＤＳＴメッセージをＤＲＮＣに伝送する。
【００５９】
ステップＳ７１０の判定の結果、新たなＤＲＮＣにハンドオーバーが要求されない場合に、ＳＲＮＣは、ステップＳ７９０に進行して既存のＤＳＴメッセージをＤＲＮＣに伝送し、その動作の手順を終了する。
【００６０】
図８は、図６の信号の流れ図によるＳＲＮＣ動作を示すフローチャートである。
【００６１】
図８を参照すると、ステップＳ８００で、ＳＲＮＣは、ＣＥＬＬ_ＤＣＨ状態のＵＥをハンドオーバーさせることに決定し、ステップＳ８１０で、新たなＤＲＮＣにハンドオーバーする必要性があるか否かを判定する。
【００６２】
新たなＤＲＮＣにハンドオーバーを遂行すると判定すれば、ＳＲＮＣは、ステップＳ８２０に進行する。そうでない場合、ＳＲＮＣは、ステップＳ８９０で、既存の無線リンクセットアップメッセージをＤＲＮＣに伝送し、上記の動作を終了する。
【００６３】
ステップＳ８２０で、ＳＲＮＣは、ＵＥによって加入されたＭＢＭＳサービスの数ｎを確認してインデックスｉを０に設定する。その後、ＳＲＮＣは、ステップＳ８３０で、ＳＲＮＣはｉがｎより小さいか否かを判定する。ｉがｎ以上であると、ＳＲＮＣはステップＳ８８０に進行する。しかしながら、ｉがｎより小さいと、ＳＲＮＣは、ＵＥによって加入されたすべてのＭＢＭＳサービスに対してステップＳ８４０〜Ｓ８７０を反復して遂行する。
【００６４】
すなわち、ＳＲＮＣは、ＵＥがｉ番目のＭＢＭＳサービスの現在セッションに関心があるか否かを確認する。その判定結果、ＵＥが現在セッションに関心がある場合、すなわちＵＥが現在セッションを受信する場合に、ＳＲＮＣは、ステップＳ８５５に進行してｉ番目のＭＢＭＳサービスに対して無関心インジケータを設定しない。
【００６５】
しかしながら、ＵＥが、ｉ番目のＭＢＭＳサービスに加入したが、現在セッションに関心がない場合、すなわちＵＥが現在セッションを受信しない場合に、ＳＲＮＣは、ステップＳ８６０で、ｉ番目のＭＢＭＳサービスに対して無関心インジケータを設定し、ステップＳ８７０で、サービスリストにｉ番目のＭＢＭＳサービスのサービスＩＤと無関心インジケータを含み、ｉを１だけ増加させた後に、ステップＳ８３０に戻る。
【００６６】
ＵＥによって加入されたすべてのＭＢＭＳサービスに対してステップＳ８３０〜Ｓ８７０を反復した後に、ステップＳ８８０で、ＳＲＮＣは、＜表１＞又は＜表２＞に示すサービスリストを無線リンクセットアップメッセージに含め、ステップＳ８９０で無線リンクセットアップメッセージをＤＲＮＣに伝送し、上記の手順を終了する。
【００６７】
図９は、本発明の第１及び第２の実施形態によるＤＲＮＣの動作を示すフローチャートである。
【００６８】
図９を参照すると、ステップＳ９００で、ＤＲＮＣは、ＳＲＮＣから特定のＵＥに対してダウンリンク信号伝送(ＤＳＴ)メッセージ又は無線リンクセットアップメッセージを受信し、ステップＳ９１０で、受信したダウンリンク信号伝送メッセージ又は無線リンクセットアップメッセージに＜表１＞又は＜表２＞に示すようなサービスリストが含まれているか否かを判定する。その判定の結果、サービスリストが含まれないと、ステップＳ９８０で、ＤＲＮＣは、あらかじめ定義されたＤＲＮＣの動作を遂行する。
【００６９】
しかしながら、サービスリストが含まれていると判定された場合に、ステップＳ９２０で、ＤＲＮＣは、ＵＥによって加入されたＭＢＭＳサービスの数ｎを確認してインデックスｉを０に設定した後、ステップＳ９３０で、ＤＲＮＣはｉがｎより小さいか否かを判定する。その判定の結果、ｉがｎ以上である場合に、ＤＲＮＣはステップＳ９８０に進行する。上記の判定の結果、ｉがｎより小さい場合に、ＤＲＮＣは、ＵＥによって加入されたすべてのＭＢＭＳサービスに対してステップＳ９４０〜Ｓ９７０を反復して遂行する。
【００７０】
すなわち、ステップＳ９４０で、ＤＲＮＣは、サービスリストに含まれたｉ番目のＭＢＭＳサービスに対して無関心インジケータが設定されているか否かを確認する。その結果、ｉ番目のＭＢＭＳサービスに対して無関心インジケータが設定されていた場合に、ステップＳ９６０で、ｉ番目のＭＢＭＳサービスのＭＢＭＳコンテキストにＵＥを追加してＵＥを、ｉ番目のＭＢＭＳサービスの伝送モードを決定するためのカウンティングから除外する。
【００７１】
しかしながら、ｉ番目のＭＢＭＳサービスに対して無関心インジケータが設定されないと、ＤＲＮＣは、ステップＳ９５０で、ｉ番目のＭＢＭＳサービスのＭＢＭＳコンテキストにＵＥを追加すると同時に、ＵＥをｉ番目のＭＢＭＳサービスのためのカウンティングに含める。
【００７２】
サービスリストに含まれたすべてのＭＢＭＳサービスに対してステップＳ９３０〜Ｓ９７０を遂行した後に、ＤＲＮＣは、ステップＳ９８０で、ダウンリンク信号伝送メッセージ或いは無線リンクセットアップメッセージによる既存動作を遂行し、その動作を終了する。
【００７３】
本発明の第３の実施形態は、ＵＥの移動性に関係なく、ＵＥが、ＵＥによって加入された一つ以上のＭＢＭＳサービスの現在進行中であるサービス又はサービスのセッションに対して、関心がないか否かを示す。
【００７４】
図１０は、本発明の第３の実施形態による信号の流れ図を示す。ここで、ＵＥは、ＭＢＭＳサービスＳ１，Ｓ２に加入している。
【００７５】
図１０を参照すると、段階１０１０で、ＳＲＮＣ１００３は、ＵＥ１００１からＭＢＭＳサービスに対する無関心指示情報を含むＭＢＭＳ変更要求メッセージを受信する。段階１０２０で、ＳＲＮＣ１００３は、ＵＥ１００１が、ＵＥ１００１によって加入された各ＭＢＭＳサービスの現在セッションに関心があるか否かを確認する。図１０では、ＵＥ１００１がＳ２に関心がない場合を例として仮定する。
【００７６】
段階１０３０で、ＳＲＮＣ１００３は、ＵＥ１００１がＳ２に関心のないことを示す無関心指示情報を、ＭＢＭＳセッション切り離し指示メッセージに含ませてＤＮＲＣ１００２に伝送する。
【００７７】
下記の＜表３＞は、本発明の第３の実施形態によるＭＢＭＳセッション切り離し指示メッセージの例を示す。
【００７８】
【表３】
2008527904.tif 000005
【００７９】
上記の＜表３＞に示すように、ＭＢＭＳセッション切り離し指示メッセージは、少なくとも一つのＭＢＭＳサービス識別子であるＴＭＧＩ(Temporary  MBMS  Group  Identify)を必ず含むことによって、ＵＥ１００１が加入したが受信しないサービスに対する無関心指示情報であるＭＢＭＳベアラサービスリストを、ＤＲＮＣ１００２に提供する。また、ＭＢＭＳセッション切り離し指示メッセージは、ＭＢＭＳベアラサービスリストに現在セッションのセッションＩＤを含むことによって、ＭＢＭＳサービス別にＵＥの現在セッションの受信可否を伝送する。
【００８０】
段階１０４０で、ＤＲＮＣ１００２は、受信されたＭＢＭＳセッション切り離し指示メッセージに含まれた、ＭＢＭＳベアラサービスリストに含まれるＭＢＭＳサービスに対して、ＵＥを含むカウンティングを遂行しない。
【００８１】
図１１は、本発明の第３の実施形態によるＳＲＮＣの動作を示すフローチャートである。
【００８２】
図１１を参照すると、ステップＳ１１００で、特定ＭＢＭＳサービスの現在セッションに関心がないことを示すＭＢＭＳ変更要求メッセージをＵＥから受信すると、ＳＲＮＣは、ステップＳ１１１０で、ＵＥによって加入されたＭＢＭＳサービスの数ｎを確認してインデックスｉを‘０’に設定し、ステップＳ１１２０でＳＲＮＣはｉがｎより小さいか否かを判定する。その結果、ｉがｎ以上であると、ＳＲＮＣはステップＳ１１７０に進行する。一方、ｉがｎより小さいと、ＳＲＮＣは、ＵＥによって加入されたすべてのＭＢＭＳサービスに対してステップＳ１１３０〜Ｓ１１６０を反復して遂行する。
【００８３】
すなわち、ＳＲＮＣは、ステップＳ１１３０で、ｉ番目のＭＢＭＳサービスのコンテキストを確認し、ステップＳ１１４０で、ｉ番目のＭＢＭＳサービスに対するＵＥの関心可否を判定する。その結果、ＵＥがｉ番目のＭＢＭＳサービスに対して関心がない場合に、ＳＲＮＣは、ステップＳ１１５０で、ｉ番目のＭＢＭＳサービスのサービスＩＤ及びセッションＩＤをＭＢＭＳベアラサービスリストに含め、ステップＳ１１６０で、ｉを１だけ増加させた後に、ステップＳ１１２０に戻る。しかしながら、ＵＥがｉ番目のＭＢＭＳサービスに対して関心がある場合に、ＳＲＮＣはステップＳ１１６０に進行する。
【００８４】
ＵＥが現在進行中であるすべてのＭＢＭＳサービスに対して関心があるか否かを判定した後に、ＳＲＮＣは、ステップＳ１１７０で、ＭＢＭＳセッション切り離し指示メッセージにＭＢＭＳベアラサービスリストを含め、ステップＳ１１８０で、ＤＲＮＣにＭＢＭＳセッション切り離し指示メッセージを伝送する。
【００８５】
図１２は、本発明の第３の実施形態によるＤＲＮＣの動作を示すフローチャートである。
【００８６】
図１２を参照すると、ステップＳ１２００で、ＤＲＮＣは、ＳＲＮＣから特定のＵＥに対する、ＭＢＭＳベアラサービスリストを含むＭＢＭＳセッション切り離し指示メッセージを受信する。ステップＳ１２１０で、ＤＲＮＣは、ＭＢＭＳベアラサービスリストに含まれたＭＢＭＳサービスの数ｎを確認してインデックスｉを‘０’に設定する。ステップＳ１２２０で、ＤＲＮＣは、ｉがｎより小さいか否かを判定する。その結果、ｉがｎ以上である場合に、ＤＲＮＣはステップＳ１２５０で動作を終了する。しかしながら、判定の結果、ｉがｎより小さい場合に、ＤＲＮＣは、ＵＥによって加入されたすべてのＭＢＭＳサービスに対して、ステップＳ１２３０及びＳ１２４０を反復して遂行する。すなわち、ステップＳ１２３０で、ＤＲＮＣは、ＭＢＭＳベアラサービスリストに含まれたｉ番目のＭＢＭＳサービスの伝送モードを決定するためのカウンティングからＵＥを除外し、ステップＳ１２４０でｉを１だけ増加させた後に、ステップＳ１２２０に戻る。
【００８７】
以上、本発明の詳細な説明においては、具体的な実施形態に関して説明したが、特許請求の範囲を外れない限り、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００８８】
【図１】一般的なＭＢＭＳサービスのためのネットワーク構成を示す図である。
【図２】一般的な特定のＵＥに対してＳＲＮＣとＤＲＮＣが異なる状況を示す図である。
【図３】ＵＥとネットワークとの間の一般的なＭＢＭＳサービス手順を示す図である。
【図４】２つの隣接セルに同一のＭＢＭＳサービスが伝送される場合を示す図である。
【図５】本発明の第１の実施形態によるＲＮＣとＣＥＬＬ_ＤＣＨ以外の状態にあるＵＥとの間の信号の流れ図を示す図である。
【図６】本発明の第２の実施形態によるＲＮＣとＣＥＬＬ_ＤＣＨ以外の状態にあるＵＥとの間の信号の流れ図を示す図である。
【図７】図５の信号の流れ図によるＳＲＮＣの動作を示すフローチャートである。
【図８】図６の信号の流れ図によるＳＲＮＣの動作を示すフローチャートである。
【図９】本発明の第１及び第２の実施形態によるＤＲＮＣの動作を示すフローチャートである。
【図１０】本発明の第３の実施形態による信号の流れ図を示す図である。
【図１１】本発明の第３の実施形態によるＳＲＮＣの動作を示すフローチャートである。
【図１２】本発明の第３の実施形態によるＤＲＮＣの動作を示すフローチャートである。
【符号の説明】
【００８９】
１１０    放送マルチキャストサービスセンター(ＢＭ-ＳＣ)
１２０    中継ネットワーク(transit  network)
１３０    ＳＧＳＮ(Serving GPRS Support Node)
１４０    無線網制御器(ＲＮＣ)
１５０    移動交換局(ＭＳＣ)
１６０    第１のセル
１７０    第２のセル
１６１，１６２，１６３，１７１，１７２    ユーザー端末機(ＵＥ)
２０２    ＵＥ
２０４    ＲＮＣ
２０６    ＢＭ-ＳＣ
２１０    サービス登録(subscription)段階
２２０    サービス公告(announcement)段階
２３０    サービス参加(joining)段階
２４０    サービス通知(notification)段階
２５０    無線リソース割り当て(radio  resource allocation)段階
２６０    データ伝送(data  transfer)段階
２７０    無線リソース解除(radio  resource  release)段階
３０１    コアネットワーク(ＣＮ)ノード
３０２    第１のＲＮＣ
３０３    第２のＲＮＣ
３１１〜３１４    ＵＥ
３３１    有線経路
３３２    有線経路
４０１    第１のセル
４０２    第２のセル
５０１    ＵＥ
５０２    ＤＲＮＣ
５０３    ＳＲＮＣ
６０１    ＵＥ
６０２    ＤＲＮＣ
６０３    ＳＲＮＣ
１００１    ＵＥ
１００２    ＤＲＮＣ
１００３    ＳＲＮＣ
【図１】
2008527904.tif 000006
【図２】
2008527904.tif 000007
【図３】
2008527904.tif 000008
【図４】
2008527904.tif 000009
【図５】
2008527904.tif 000010
【図６】
2008527904.tif 000011
【図７】
2008527904.tif 000012
【図８】
2008527904.tif 000013
【図９】
2008527904.tif 000014
【図１０】
2008527904.tif 000015
【図１１】
2008527904.tif 000016
【図１２】
2008527904.tif 000017
【国際調査報告】
2008527904.tif 000018
2008527904.tif 000019